(57)【要約】  【課題】  水平同期信号に発生するノイズを除去する。  【解決手段】  入力する水平同期信号の水平同期パルスの開始点から期間Ｔ１を経過した時点からパルス幅Ｔ２をもつマスク信号を生成して、水平同期信号の非同期信号パルス期間のノイズを除去すると共に、水平同期パルス開始点から最大で終了点までの期間Ｔ３をマスクするマスク信号を生成する。【選択図】  図１
2006180348.tif 000002
【特許請求の範囲】
【請求項１】
入力する水平同期信号の水平同期パルス期間内の所定のタイミングを始点とし次回の水平同期パルス期間の開始タイミングより前を終点とする期間のパルス幅をもつ第１のマスク信号を生成し、該第１のマスク信号により前記水平同期信号をマスクしてノイズを除去する水平同期信号のノイズ除去回路において、
前記水平同期パルス期間の開始タイミングから最大で終了タイミングまでの期間をマスクする第２のマスク信号を生成することを特徴とする水平同期信号のノイズ除去回路。
【請求項２】
請求項１に記載の水平同期信号のノイズ除去回路において、
前記水平同期パルス期間の開始タイミングで出力を能動にすると共にクロックのカウントを開始して所定のカウント値に達すると出力を非能動にすると共にクリアされるカウンタからなるパルス発生部を具備し、該パルス発生部の能動出力信号を前記第２のマスク信号とすることを特徴とする水平同期信号のノイズ除去回路。
【請求項３】
入力する水平同期信号の水平同期パルス期間内の所定のタイミングを始点とし次回の水平同期パルス期間の開始タイミングより前を終点とする期間のパルス幅をもつ第１のマスク信号を生成し、該第１のマスク信号により前記水平同期信号をマスクしてノイズを除去する水平同期信号のノイズ除去回路において、
前回の前記第１のマスク信号の終了タイミングから次回の前記第１のマスク信号の開始タイミングまでの期間のパルス幅の非マスク信号を生成し、前記水平同期パルスの開始タイミングから前記第１のマスク信号の開始タイミングまでの期間と映像信号のフロントポーチ期間を加算した期間を前記非マスク信号のパルス幅から減算し、該減算により得られた期間を前記第１のマスク信号の終点に加算して、これを新たな第１のマスク期間とすることを特徴とする水平同期信号のノイズ除去回路。
【請求項４】
請求項３に記載の水平同期信号のノイズ除去回路において、
前記減算により得られた期間を前記水平同期パルス到来毎に積算し、該積算により得られた期間を前記第１のマスク信号の終点に加算して、これを前記新たな第１のマスク期間とすることを特徴とする水平同期信号のノイズ除去回路。
【請求項５】
請求項４に記載の水平同期信号のノイズ除去回路において、
前記水平同期パルスの開始タイミングから前記第１のマスク信号の開始までの期間と前記映像信号のフロントポーチ期間を加算した期間と、前記非マスク信号のパルス期間とが一致するまで、前記減算により得られた期間を水平同期パルス到来毎に積算することを特徴とする水平同期信号のノイズ除去回路。
【請求項６】
請求項５に記載の水平同期信号のノイズ除去回路において、
前回の前記第１のマスク信号の終了タイミングから次回の前記第１のマスク信号の開始タイミングまでの期間をカウントして前記非マスク信号を生成するカウンタ部と、
前記カウンタ部で得られる前記非マスク信号の期間から、前記水平同期パルスの開始タイミングから前記第１のマスク信号の開始までの期間と前記映像信号のフロントポーチ期間を加算した期間を減算する減算器と、
該減算器の出力を積算するフィルタ部と、
該フィルタ部で得られた期間を前記第１のマスク信号の期間の終点に加算して、これを新たな第１のマスク期間とする加算部と、
を具備することを特徴とする水平同期信号のノイズ除去回路。
【発明の詳細な説明】
【技術分野】
【０００１】
本発明は、複合映像信号から抽出した水平同期信号に含まれるノイズを除去する回路に関するものである。
【背景技術】
【０００２】
水平同期信号に含まれるノイズを除去する回路として、図５に示す回路が知られている（例えば、特許文献１，２）。このノイズ除去回路は、水平同期パルス検出部１とマスク信号生成部２とＯＲ回路３より構成されている。水平同期パルス検出部１とマスク信号生成部２はカウンタから構成され、それらのＤ端子はＬＯＡＤ値入力端子、ＬＤ端子はＬＯＡＤ入力端子、ＥＮ端子はカウントＥＮＡＢＬＥ入力端子、ＣＯ端子はキャリーアウト端子である。
【０００３】
水平同期パルス検出部１は、入力端子４から入力された水平同期信号がハイレベルからロウレベルに変化すると、クロック（図示せず）のカウントを開始し、Ｄ端子から予め設定された設定値Ｔ１だけカウントダウンすると、ＣＯ端子をロウレベルからハイレベルに変化させ、マスク開始信号を出力する。
【０００４】
マスク信号生成部２は、マスク開始信号により設定値Ｔ２がＤ端子から設定され、そのＣＯ端子をハイレベルにしてマスク信号を出力すると共にクロック（図示せず）のカウントを開始し、Ｄ端子から設定された設定値Ｔ２だけダウンカウントすると、ＣＯ端子をハイレベルからロウレベルに変化させる。このロウレベルの信号はＥＮ端子に入力するので、カウントが停止する。同時に、水平同期パルス検出部１のＬＤ端子に入力するので、マスク信号がハイレベルになったとき、水平同期パルス検出部１の設定値Ｔ１がＤ端子から設定され、カウント停止状態となる。
【０００５】
このため、図６に示すように、水平同期信号中のハイレベル区間にローレベルのノイズパルスＮ１が混在していても、そのノイズＮ１はパルス幅Ｔ２のマスク信号によってマスクされ、出力端子５にはノイズＮ１が除去された水平同期信号が出力する。
【０００６】
【特許文献１】特開平４−３５４４７５号公報
【特許文献２】特開平７−３２２０９０号公報
【発明の開示】
【発明が解決しようとする課題】
【０００７】
ところが、図５のノイズ除去回路では、設定値Ｔ２で決まるマスク期間のノイズは除去されるものの、それ以外の期間に含まれるノイズは除去することができない。
【０００８】
例えば、図７に示すように、複合映像信号中の水平同期パルス（ロウレベル）近辺に段付きのノイズＮ２が含まれている場合は、この複合映像信号中から水平同期パルスを切り取る同期スライスレベルを下回るほどにそのノイズＮ２のレベルの谷が低いとき、その水平同期パルス期間中にそのノイズＮ２が含まれてしまい、これが出力端子５から出力する水平同期信号中に現れる。
【０００９】
また、映像信号レベルがブランキングレベル以下にまで下がるような映像信号では、同期スライスレベルでスライスされた水平同期信号の映像信号期間に高い頻度でノイズＮ３が発生する。設定値Ｔ２で設定するマスク期間は、映像信号の水平同期信号周期のバラツキを吸収するために、図８(a)に示すように、標準的な水平同期周期よりも短い周期の信号を想定して設定されるのが通常であるが、このようにすると、図８(b)に示すように、逆に標準的な水平同期周期よりも長い周期の映像信号が入力されたときに、映像有効期間の一部がマスク期間Ｔ２からはみ出し、ブランキングレベル以下の映像信号によるノイズＮ３が水平同期信号中に発生する。
【００１０】
本発明の目的は、上記したようなノイズを水平同期信号中から除去できるようにしたノイズ除去回路を提供することである。
【課題を解決するための手段】
【００１１】
請求項１にかかる発明は、入力する水平同期信号の水平同期パルス期間内の所定のタイミングを始点とし次回の水平同期パルス期間の開始タイミングより前を終点とする期間のパルス幅をもつ第１のマスク信号を生成し、該第１のマスク信号により前記水平同期信号をマスクしてノイズを除去する水平同期信号のノイズ除去回路において、前記水平同期パルス期間の開始タイミングから最大で終了タイミングまでの期間をマスクする第２のマスク信号を生成することを特徴とする。
【００１２】
請求項２にかかる発明は、請求項１に記載の水平同期信号のノイズ除去回路において、前記水平同期パルス期間の開始タイミングで出力を能動にすると共にクロックのカウントを開始して所定のカウント値に達すると出力を非能動にすると共にクリアされるカウンタからなるパルス発生部を具備し、該パルス発生部の能動出力信号を前記第２のマスク信号とすることを特徴とする。
【００１３】
請求項３にかかる発明は、入力する水平同期信号の水平同期パルス期間内の所定のタイミングを始点とし次回の水平同期パルス期間の開始タイミングより前を終点とする期間のパルス幅をもつ第１のマスク信号を生成し、該第１のマスク信号により前記水平同期信号をマスクしてノイズを除去する水平同期信号のノイズ除去回路において、前回の前記第１のマスク信号の終了タイミングから次回の前記第１のマスク信号の開始タイミングまでの期間のパルス幅の非マスク信号を生成し、前記水平同期パルスの開始タイミングから前記第１のマスク信号の開始タイミングまでの期間と映像信号のフロントポーチ期間を加算した期間を前記非マスク信号のパルス幅から減算し、該減算により得られた期間を前記第１のマスク信号の終点に加算して、これを新たな第１のマスク期間とすることを特徴とする。
【００１４】
請求項４にかかる発明は、請求項３に記載の水平同期信号のノイズ除去回路において、前記減算により得られた期間を前記水平同期パルス到来毎に積算し、該積算により得られた期間を前記第１のマスク信号の終点に加算して、これを前記新たな第１のマスク期間とすることを特徴とする。
【００１５】
請求項５にかかる発明は、請求項４に記載の水平同期信号のノイズ除去回路において、前記水平同期パルスの開始タイミングから前記第１のマスク信号の開始までの期間と前記映像信号のフロントポーチ期間を加算した期間と、前記非マスク信号のパルス期間とが一致するまで、前記減算により得られた期間を水平同期パルス到来毎に積算することを特徴とする。
【００１６】
請求項６にかかる発明は、請求項５に記載の水平同期信号のノイズ除去回路において、前回の前記第１のマスク信号の終了タイミングから次回の前記第１のマスク信号の開始タイミングまでの期間をカウントして前記非マスク信号を生成するカウンタ部と、前記カウンタ部で得られる前記非マスク信号の期間から、前記水平同期パルスの開始タイミングから前記第１のマスク信号の開始までの期間と前記映像信号のフロントポーチ期間を加算した期間を減算する減算器と、該減算器の出力を積算するフィルタ部と、該フィルタ部で得られた期間を前記第１のマスク信号の期間の終点に加算して、これを新たな第１のマスク期間とする加算部と、を具備することを特徴とする。
【発明の効果】
【００１７】
本発明によれば、水平同期パルス期間に発生するノイズや映像有効期間の内の最初に設定したマスク期間からはずれた期間に発生するノイズを効果的に除去することができる利点がある。
【発明を実施するための最良の形態】
【００１８】
以下、本発明の実施例について説明する。
【実施例１】
【００１９】
図１は実施例１のノイズ除去回路の構成を示すブロック図である。本実施例１のノイズ除去回路は、水平同期パルス検出部１と、マスク信号生成部２と、ＯＲ回路３と、ＦＦ回路からなるエッジ検出部６と、パルス発生部７と、ＡＮＤ回路８、１６とより構成されている。水平同期パルス検出部１とマスク信号生成部２とパルス発生部７はカウンタから構成され、それらのＤ端子はＬＯＡＤ値入力端子、ＬＤ端子はＬＯＡＤ入力端子、ＥＮ端子はカウントＥＮＡＢＬＥ入力端子、ＣＯ端子はキャリーアウト端子である。
【００２０】
水平同期パルス検出部１は、入力端子４から入力された水平同期信号がハイレベルからロウレベルに変化すると、クロック（図示せず）のカウントを開始し、Ｄ端子から予め設定された設定値Ｔ１だけカウントダウンすると、ＣＯ端子をロウレベルからハイレベルに変化させ、マスク開始信号を出力する。
【００２１】
マスク信号生成部２は、マスク開始信号により設定値Ｔ２がＤ端子から設定され、そのＣＯ端子をハイレベルにしてマスク信号を出力すると共にクロック（図示せず）のカウントを開始し、Ｄ端子から設定された設定値Ｔ２だけダウンカウントすると、ＣＯ端子をハイレベルからロウレベルに変化させる。このロウレベルの信号はＥＮ端子に入力するので、カウントが停止する。同時に、水平同期パルス検出部１のＬＤ端子に入力するので、マスク信号がハイレベルになったとき、水平同期パルス検出部１の設定値Ｔ１がＤ端子から設定され、カウント停止状態となる。以上は図５と同じであり、ＯＲ回路３からは時間幅Ｔ２でノイズをマスクする水平同期信号が出力する。
【００２２】
本実施例１では、ＯＲ回路３の出力がハイレベルからロウレベルに低下すると、エッジ検出部６がそれを検出して、そのＱ端子をロウレベルからハイレベルに変化させ、エッジ検出信号を出力する。エッジ検出部６はこのハイレベルのエッジ検出信号によりリセットされる。また、エッジ検出部６のＱ端子がハイレベルになると、パルス発生部７は設定値Ｔ３がＤ端子から設定され、そのＣＯ端子をロウレベルにしてノイズ除去信号をＡＮＤ回路８に出力すると共にクロック（図示せず）のカウントを開始し、Ｄ端子から設定された設定値Ｔ３の時間だけダウンカウントすると、そのＣＯ端子をロウレベルからハイレベルにする。つまり、入力する水平同期パルス（ロウレベル）の部分が一時的にロウレベルからハイレベルに変化しても、ＯＲ回路３の出力信号が一旦ロウレベルになった後は、設定値Ｔ３の期間が経過するまでは、パルス発生部７のＣＯ端子はロウレベルを保持してＡＮＤ回路８の出力をロウレベルに保持する。
【００２３】
これにより、図７に示したように、複合映像信号中の水平同期パルス（ロウレベル）部分に段付きのノイズＮ２が含まれている場合であっても、図２に示すように、そのノイズＮ２は設定値Ｔ３のパルス幅をもつノイズ除去信号によってマスクされて完全に除去され、出力水平同期信号に現れることはない。
【実施例２】
【００２４】
図３は実施例２のノイズ除去回路の構成を示すブロック図である。本実施例２のノイズ除去回路は、水平同期パルス検出部１と、マスク信号生成部２と、ＯＲ回路３と、カウント部９と、フィルタ部１０と、リミッタ部１１と、加算部１２，１３，１４と、反転回路１５と、インバータ１７と、アンド回路１８と、ＤＦＦ回路１９とにより構成されている。水平同期パルス検出部１とマスク信号生成部２とカウント部９はカウンタから構成され、それらのＤ端子はＬＯＡＤ値入力端子、ＬＤ端子はＬＯＡＤ入力端子、ＥＮ端子はカウントＥＮＡＢＬＥ入力端子、ＣＯ端子はキャリーアウト端子、Ｑ端子はカウント値出力端子、ＣＬ端子はクリア端子である。
【００２５】
水平同期パルス検出部１は、入力端子４から入力された水平同期信号がハイレベルからロウレベルに変化すると、クロック（図示せず）のカウントを開始し、Ｄ端子から予め設定された設定値Ｔ１だけカウントダウンすると、ＣＯ端子をロウレベルからハイレベルに変化させ、マスク開始信号を出力する。
【００２６】
マスク信号生成部２は、マスク開始信号により設定値Ｔ２がＤ端子から設定され、そのＣＯ端子をハイレベルにしてマスク信号を出力すると共にクロック（図示せず）のカウントを開始し、Ｄ端子から設定された設定値Ｔ２だけダウンカウントすると、ＣＯ端子をハイレベルからロウレベルに変化させる。このロウレベルの信号はＥＮ端子に入力するので、カウントが停止する。同時に、水平同期パルス検出部１のＬＤ端子に入力するので、マスク信号がハイレベルになったとき、水平同期パルス検出部１の設定値Ｔ１がＤ端子から設定され、カウント停止状態となる。以上は図５と同じであり、ＯＲ回路３からは時間幅Ｔ２でノイズをマスクする水平同期信号が出力する。
【００２７】
本実施例２では、マスク信号生成部２のＣＯ端子がロウレベルの期間、つまり前回のマスク終了タイミングから次回のマスク開始タイミングまでの期間、カウント部９がクロック（図示せず）をカウントする。なお、このカウント部９はマスク終了時、すなわちＣＯ端子がハイレベルからロウレベルに変化したときクリアされる。このカウント部９のカウント値Ｔａは非マスク期間となり、そのカウント値Ｔａに対して設定値Ｔ１と設定値Ｔ４を加算部１４で加算し、その加算値を反転部１５で反転し、その反転した値を加算部１３で加算した値Ｔｂ（＝Ｔａ−（Ｔ１＋Ｔ４））がフィルタ部１０に入力する。このフィルタ部１０では、水平同期信号が到来する毎にこの加算値Ｔｂが入力されるので、そこで積算さる。リミッタ部１１はこのフィルタ部の１０の出力値に制限を加えるものであり、故障等による誤動作を防止する。リミッタ部１１の出力Ｔｃは、加算部１３において設定値Ｔ２に加算されてＴ２’となり、マスク信号生成部２のＤ端子に設定される。
【００２８】
このため、マスク期間Ｔ２’が水平同期信号の到来毎に延長され、映像期間中のノイズＮ３をマスクする。マスク期間Ｔ２’が水平同期信号の到来毎に延長されると、カウント部９から出力する非マスク期間Ｔａが相対的に縮小されるので、これが繰り返されて、その非マスク期間Ｔａが前記のＴ１＋Ｔ４と一致すると、フィルタ部１０に積算される内容はその時点から増大することはない。つまり、最終的には、図４に示すように、マスク期間Ｔ２’は映像期間中のノイズＮ３をマスクするに十分なマスク期間となる。
【００２９】
なお、フィルタ部１０とリミッタ部１１は必ずしも必要ではないが、これを使用することにより、前記したようにマスク期間Ｔ２’を徐々に延長させてカウンタ部９のカウント値ＴａをＴ１＋Ｔ４に自動的に一致させることができる。このようにマスク期間Ｔ２’を延長させて映像期間中のノイズＮ３を除去するものであるので、最初のマスク期間を決める設定値Ｔ２は水平同期信号が短い場合を想定して設定する必要がある。また、設定値Ｔ４には映像信号のフロントポーチの期間を設定する。以上より、図４に示すように、映像有効期間の全域をマスク期間Ｔ２’によりマスクすることが可能となる。
【図面の簡単な説明】
【００３０】
【図１】本発明の実施例１のノイズ除去回路の構成を示すブロック図である。
【図２】実施例１のノイズ除去回路の動作のタイムチャートである。
【図３】本発明の実施例２のノイズ除去回路の構成を示すブロック図である。
【図４】実施例２のノイズ除去回路の動作のタイムチャートである。
【図５】従来のノイズ除去回路の構成を示すブロック図である。
【図６】従来のノイズ除去回路の動作のタイムチャートである。
【図７】同期信号の前縁にノイズがあるときの従来のノイズ除去回路の動作のタイムチャートである。
【図８】水平同期信号の周期に長短がある場合の従来のノイズ除去回路の動作のタイムチャートである。
【符号の説明】
【００３１】
１：水平同期パルス検出部、２：マスク信号生成部、３：ＯＲ回路、４：入力端子、５：出力端子、６：エッジ検出部、７：パルス発生部、８：ＡＮＤ回路、９：カウント部、１０：フィルタ部、１１：リミッタ部、１２〜１４：加算部、１５：反転部
【図１】
2006180348.tif 000003
【図２】
2006180348.tif 000004
【図３】
2006180348.tif 000005
【図４】
2006180348.tif 000006
【図５】
2006180348.tif 000007
【図６】
2006180348.tif 000008
【図７】
2006180348.tif 000009
【図８】
2006180348.tif 000010